(57)【要約】【課題】耐力壁が急激に破壊するのを抑止し、耐力壁の変形を許容して急激な破壊を防止し、構造物に粘りを与える。【解決手段】柱１及び土台２、梁または胴差し３に深さ１０ｍｍの切込み（シャクリ）１０をそれぞれ形成し、この切込み１０内に合板製の構造用板材５を１０ｍｍの遊間１２を設けて嵌め込み、構造用板材５の全周に釘を打ち込んで固定し、柱１、土台２、梁３と面一の耐力壁とする。遊間１２が存在するため構造用板材５は、切込み１０に拘束されず、急激な破壊に到らないので粘りのある構造物を得ることができる。添え柱、添え梁及び添え土台にこの耐力壁を形成することによって既存の建築物の補強にも応用することができる。構造用板材５が添え柱、添え梁及び添え土台と面一であるので、外側への張り出しを小さくすることができる。【選択図】図１
2004332364.tif 000002
【特許請求の範囲】
【請求項１】
木造建築物の軸組を構成する柱、土台及び胴差しに切込みを設けて切込み枠を形成し、この切込み枠に構造用板材を周縁に遊間を設けて固定した耐力壁。
【請求項２】
請求項１において、遊間が５ｍｍ以上である耐力壁。
【請求項３】
既存の木造建築物に切込みを設けた添え柱、及び添え梁を固定して切込み枠を形成し、構造用板材をこの切込み内に周縁に遊間を設けて固定する既存建築物の補強方法。
【請求項４】
請求項３において、遊間が５ｍｍ以上である既存建築物の補強方法。
【発明の詳細な説明】
【０００１】
【発明の属する技術分野】
本発明は、耐震性を高めた木造建築物の構造に関し、詳細には、構造用板材を構造部材として利用した耐力壁に関するものである。
【０００２】
【従来の技術】
木造建築の在来工法において、特許文献１（特開平６−８１４１１号公報）及び２（特開平９−１９５４２０号公報）に示されるように柱、梁及び土台に切込みを設け、切込み内に構造用板材を嵌め込んで固定し、耐力壁とすることがおこなわれている。
これは、図８に示すように柱１、土台２、梁または胴差し３に切込み（しゃくり）１０を形成し、構造用板材５を切込みに嵌め込んで釘等で固定したものである。構造用板材５は切込み１０に隙間なくピッタリと嵌め込んであり、柱等の枠材と強固に一体化してある。
【０００３】
【特許文献１】
特開平６−８１４１１号公報（図１、特許請求の範囲、詳細な説明段落７、１４）
【特許文献２】
特開平９−１９５４２０号公報（要約、特許請求の範囲、図１、図２、詳細な説明段落３、５、９、１０）
【特許文献３】
特許第３０５０５３６号（特許請求の範囲、図１）
【特許文献４】
特許第３１２４９４５号（特許請求の範囲、図１）
【０００４】
【発明が解決すべき課題】
この切込みに構造用板材を隙間なく嵌め込んだ耐力壁では、構造用板材５が柱、土台、梁と強固に一体化されており、構造用板材５の強度を有効に活用することができ、耐力壁として有効ではあるが、剛性が大きく、水平方向の変形に対する余裕がなく、耐力壁の枠材である土台や梁が破壊して急激に潰れて構造物としての形状が保たれず崩壊する恐れがある。
本発明は、耐力壁が急激に破壊されるのを抑止して構造物に粘りを与え、耐力の限界に達しても、建築物としての形状が保持されるようにするものである。
【０００５】
【課題を解決するための手段】
このため、柱、土台、梁（胴差し）により構成される枠材に切込みを設けて切込み枠を形成し、この切込み枠に構造用板材を周縁に遊間を設けて嵌め込み、釘等の固定手段で固定するものである。
柱、土台、梁の枠材と構造用板材が一体となって耐力壁として機能し、限界を超える外力が作用した場合、切込みと構造用板材との間に遊間が存在するため、耐力壁が崩壊することなく枠が変形するので、急激に破壊するということがなく、粘りのある構造物とすることができる。
また、既存建築物の補強において、既存の柱、梁に切込みを設けた添え柱、及び添え梁を固定して切込み枠を形成し、構造用板材をこの切込み枠内に周縁に遊間を設けて固定することによって既存木造建築物を補強するものである。
【０００６】
【実施例】
図１の正面図及び図２の断面図において、１は柱、２は土台、３は胴差しまたは梁、４は受枠材、５は構造用板材（構造用合板）、６は間柱である。
柱１、土台２、及び胴差し３には、図２の断面図及び図３の部分詳細図に示すように、深さ１０ｍｍ、幅５５ｍｍの切込み（シャクリ）１０がそれぞれ形成され、切込み１０によって柱１、土台２、胴差し３で構成される枠の内側に切込み枠が形成される。切込み１０の深さは、嵌め込む構造用板材５の厚さとほぼ等しいものとする。
【０００７】
切込み１０は、現場で形成するか、または、木材を柱、梁等に加工する際に同時に形成しておく。必要に応じて間柱６、受枠材４及び筋違い（図示しない）を取り付ける。間柱６及び受枠材４等は、切込み分だけ内側に取り付け、表面が切込み１０の面と同一面になるようにする。柱１と土台２及び胴差し３との交点には枠の形状を保持するための補強金物２５がビスで取り付けてある。
【０００８】
厚さ９ｍｍの構造用板材５を切込み１０との間に１０ｍｍの遊間１２をあけて設置し、釘５１を５０〜１００ｍｍの間隔で打ち込んで固定する。本実施例では、構造用板材５は、中央の間柱６及び受枠材４の位置で分割した４枚である。構造用板材５の厚さとほぼ等しい切込み１０が柱１、土台２、及び胴差し（梁）３に設けてあるので、切込み１０に設置された構造用板材５と柱１等の枠材は面一となり、建物の外側への張り出しを小さくすることができる。構造用板材５の外側には、下地を設けてサイディング、モルタル壁等の外装が施工される。
【０００９】
遊間１２の大きさは、耐力壁に水平変形が生じても、構造用板材５が切込み１０に接触して変形が極度に抑制されることのないように定める必要があり、少なくとも５ｍｍが必要である。
【００１０】
遊間１２が狭いと、切込み１０に構造用板材５を隙間なくピッタリ嵌め込んで固定する従来技術と同様に、耐力壁が横からの力を受けて変形すると構造用板材５と柱１が接触して耐力壁の剛性が高まって粘りを失い、急激な崩壊をする。
遊間１２を１０ｍｍとすることにより、傾き１／１５ｒａｄの変形の場合でも耐力壁はその形状を保持することができ、構造物が急激に崩壊することがなく、粘りのある構造物とすることができる。
【００１１】
【実施例２】
既存建築物の補強に本発明の耐力壁を適用したものを図４〜図７に示す。
既存の柱１、土台２、及び胴差し３に各々切込み１０を設けた添え柱１１、添え土台２１及び添え胴差し３１を既存の建築物に長ビス５２で固定して切込み枠を形成し、この切込み枠内に構造用板材５を周縁に遊間１２を設けて釘５１を５０〜１００ｍｍの間隔で打設して固定する。
既存建築物の補強の場合、長ビス５２を打ち込んで添え柱１１等を既存の構造物に固定するため、図６に示すように、柱の幅（Ｌ）に切込み１０を設けた残りの部分の幅（ａ）を少なくとも３５ｍｍ程度確保して長ビスの保持力を損なわないようにする。遊間１２の大きさは、添え柱１１の大きさや切込み１０を形成した残りの幅（ａ）を勘案して決めることができる。
【００１２】
添え柱１１等を既存建築物の上に固定したことにより、耐力壁が外側に張り出すが、構造用板材５を切込み１０内に納めてあるので、従来の補強工法に比較して、構造用板材５の厚さ分だけ外壁の張り出しを押さえることができる。
【００１３】
【発明の効果】
本発明の耐力壁は、遊間を設けて構造用板材を切込み枠内に固定するものであるので、木造建築物の軸組の歪みや変形を防止できると共に、切込み枠と構造用板材の間に遊間を設けることによって耐力壁に粘りが付与されており、急激に破壊して構造物が崩壊するという危険を避けることができる。
また、この耐力壁を既存の木造建築物の補強に応用することによって既存の建築物を補強することができ、かつ、従来の補強工法に比較して、外壁の張り出し量を小さくすることができる。
【図面の簡単な説明】
【図１】本発明の耐力壁の正面図。
【図２】本発明の耐力壁の縦断面図。
【図３】耐力壁の角部の拡大詳細図。
【図４】既存建築物の補強に本発明の耐力壁を応用した斜視図。
【図５】既存建築物の補強に本発明の耐力壁を応用した縦断面図。
【図６】既存建築物の補強に本発明の耐力壁を応用した横断面図。
【図７】既存建築物の補強に本発明の耐力壁を応用した土台部分の拡大図。
【図８】従来の構造用板材を利用した耐力壁の斜視図。
【符号の説明】
１    柱
２    土台
３    胴差し（梁）
４    受枠材
５    構造用板材
６    間柱
【図１】
2004332364.tif 000003
【図２】
2004332364.tif 000004
【図３】
2004332364.tif 000005
【図４】
2004332364.tif 000006
【図５】
2004332364.tif 000007
【図６】
2004332364.tif 000008
【図７】
2004332364.tif 000009
【図８】
2004332364.tif 000010